(57)【要約】      （修正有）【課題】蓄温材又は保冷材が、ブロック状のものに限らず、パック状のものも収容することができ、蓄温材等の適用範囲が広い発泡樹脂製の医療用輸送容器を提供する。【解決手段】発泡樹脂製の医療用輸送容器１は、平面視矩形のパレット本体２と、パレット本体の周縁に立設されて前面、左右の側面及び背面の４面を成す壁体３と、壁体の上端部に設けられる蓋体６と、を備える。壁体、パレット本体又は蓋体は、その内面に形成された複数の収容凹部７６を有する。収容凹部は、蓄温材７１が収容されるように形成される第１凹部と、第１凹部に収容された蓄温材の周縁を保持する額縁状の枠体７３が嵌め込まれ、第１凹部の周縁に形成される第２凹部と、を有する。【選択図】図１
0003227947.tif 000002
【実用新案登録請求の範囲】
【請求項１】
平面視矩形のパレット本体と、前記パレット本体の周縁に立設されて前面、左右の側面及び背面の４面を成す壁体と、前記壁体の上端部に設けられる蓋体と、を備えた発泡樹脂製の医療用輸送容器であって、
前記壁体、前記パレット本体又は前記蓋体は、その内面に形成された複数の収容凹部を有し、
前記収容凹部は、蓄温材又は保冷料が収容されるように形成される第１凹部と、該第１凹部に収容された蓄温材又は保冷料の周縁を保持する額縁状の枠体が嵌め込まれ、前記第１凹部の周縁に形成される第２凹部と、を有することを特徴とする医療用輸送容器。
【請求項２】
前記枠体は、４辺の外側面に形成された篏合凸部を有し、
前記第２凹部は、４辺の内側面に形成され前記篏合凸部と係合する篏合凹部を有することを特徴とする請求項１に記載の医療用輸送容器。
【請求項３】
前記枠体は、前記第２凹部に嵌め込まれたとき、前記枠体の表面が、前記壁体、前記パレット本体又は前記蓋体の内面と面一となるように形成されていることを特徴とする請求項１又は請求項２に記載の医療用輸送容器。
【請求項４】
前記壁体は、側面、前面の一部及び背面の一部を成す平面視コの字形状の側部と、前面の一部又は背面の一部を成す平板形状の板部と、を有し、
前記側部は、前記壁体の側面を成す長板と、前記長板の両縁に夫々一体的に設けられて前記壁体の前面の一部及び背面の一部を成す一対の短板と、を有し、
前記壁体の前面又は背面は、正面視又は背面視において、前記短板より前記板部の占める面積が大きいことを特徴とする医療用輸送容器。
【考案の詳細な説明】
【技術分野】
【０００１】
本考案は、フォークリフト等を用いた荷物の運搬に使用される発泡樹脂製のパレットに壁体及び蓋体を配置して保冷空間を形成した医療用輸送容器に関する。
【背景技術】
【０００２】
従来から、フォークリフトやハンドリフト等によって荷物を運搬する際の荷台として、各種のパレットが広く使用されている。一般的なパレットとして、木製、プラスチック製、金属製（鉄合金）又は紙製のものが知られている。しかしながら、最も一般的な木製のパレットは、１０ｋｇ以上の重量があり、紙製パレットも、形状安定性を確保するために高密度で圧縮加工されており、かなりの重量がある。そこで、紙製パレットよりも更に軽量なパレットとして、発泡樹脂製のパレットがあり、それを用いた輸送容器が知られている（特許文献１参照）。
【０００３】
上記特許文献１に記載された輸送容器は、側壁に設けられて、蓄温材又は蓄冷材を収納するための収納凹部を有する。この収納凹部は、蓄温材等の左右両縁を保持する脱落防止片が鉛直方向に渡って形成され、下端が閉塞している一方で、上端は開放されている。そのため、収納凹部に蓄温材等を収納する際には、開放された上端から蓄温材等をスライドさせながら差し込み、所定個数の蓄温材を収納凹部の上端まで積み上げて、輸送容器の蓋を装着することで、収納凹部の上端が閉じられ、これにより蓄温材等が側壁に保持される。
【先行技術文献】
【特許文献】
【０００４】
【特許文献１】ＷＯ２０１４／１２５８７８号公報
【考案の概要】
【考案が解決しようとする課題】
【０００５】
しかしながら、上記特許文献１に記載された輸送容器では、蓄温材等は、その左右両縁を脱落防止片で保持しているだけで、上下に積み上げられるので、保冷材等が所定の硬さがあるブロック状のものである必要があり、例えば、柔軟性のある袋（パック）状のものは使用できない。
【０００６】
本考案は、上記課題に鑑みてなされたものであり、蓄温材又は保冷材が、ブロック状のものに限らず、パック状のものも壁体等の収容することができ、蓄温材等の適用範囲が広い発泡樹脂製の医療用輸送容器を提供することを目的とする。
【課題を解決するための手段】
【０００７】
上記課題を解決するため、本考案は、平面視矩形のパレット本体と、前記パレット本体の周縁に立設されて前面、左右の側面及び背面の４面を成す壁体と、前記壁体の上端部に設けられる蓋体と、を備えた発泡樹脂製の医療用輸送容器であって、前記壁体、前記パレット本体又は前記蓋体は、その内面に形成された複数の収容凹部を有し、前記収容凹部は、蓄温材又は保冷料が収容されるように形成される第１凹部と、該第１凹部に収容された蓄温材又は保冷料の周縁を保持する額縁状の枠体が嵌め込まれ、前記第１凹部の周縁に形成される第２凹部と、を有することを特徴とする。
【０００８】
上記医療用輸送容器において、前記枠体は、４辺の外側面に形成された篏合凸部を有し、前記第２凹部は、４辺の内側面に形成され前記篏合凸部と係合する篏合凹部を有することが好ましい。
【０００９】
上記医療用輸送容器において、前記枠体は、前記第２凹部に嵌め込まれたとき、前記枠体の表面が、前記壁体、前記パレット本体又は前記蓋体の内面と面一となるように形成されていることが好ましい。
【００１０】
上記医療用輸送容器において、前記壁体は、側面、前面の一部及び背面の一部を成す平面視コの字形状の側部と、前面の一部又は背面の一部を成す平板形状の板部と、を有し、前記側部は、前記壁体の側面を成す長板と、前記長板の両縁に夫々一体的に設けられて前記壁体の前面の一部及び背面の一部を成す一対の短板と、を有し、前記壁体の前面又は背面は、正面視又は背面視において、前記短板より前記板部の占める面積が大きいことが好ましい。
【考案の効果】
【００１１】
本考案に係る医療用輸送容器によれば、額縁状の枠体が第２凹部に嵌められることにより、第１凹部に収容された蓄温材等の４辺が保持されるので、蓄温材を壁体に安定的に保持することができる。
【図面の簡単な説明】
【００１２】
【図１】（ａ）本考案の一実施形態に係る医療用輸送容器の正面及び平面を主とした斜視図、（ｂ）は同医療用輸送容器の一部分解斜視図。
【図２】（ａ）は上記医療用輸送容器の正面図、（ｂ）は側面図、（ｃ）は平面図、（ｄ）は底面図、（ｅ）は（ｃ）のＡ−Ａ線断面図、（ｆ）は（ｃ）のＢ−Ｂ線断面図。
【図３】（ａ）は上記医療用輸送容器に用いられるパレット本体の平面を主とした斜視図、（ｂ）は分解斜視図。
【図４】（ａ）は上記パレット本体の平面図、（ｂ）は（ａ）のＣ−Ｃ線断面図、（ｃ）は（ａ）のＤ―Ｄ線断面図、（ｄ）は（ｃ）のＥ領域の一部拡大図。
【図５】（ａ）は上記パレット本体の側面図、（ｂ）は平面図、（ｃ）は底面図。
【図６】（ａ）は上記パレット本体を成すパレット部の平面図、（ｂ）は底面図、（ｃ）は正面図、（ｄ）は左側面図、（ｅ）は（ａ）のＦ−Ｆ線断面図、（ｆ）は左側面図、（ｇ）は（ａ）のＧ−Ｇ線断面図、（ｈ）は（ａ）のＨ−Ｈ線断面図。
【図７】（ａ）は上記医療用輸送容器に用いられる板部の内面を主とした斜視図、（ｂ）は外面を主とした斜視図。
【図８】（ａ）は上記板部の正面（内面）図、（ｂ）は背面（外面）図、（ｃ）は底面図、（ｄ）は（ａ）のＩ−Ｉ線断面図、（ｅ）は（ｄ）のＪ領域の拡大図。
【図９】（ａ）は上記医療用輸送容器に用いられる枠体の斜視図、（ｂ）は平面図、（ｃ）は側面図、（ｄ）は（ｃ）のＫ領域の拡大図。
【図１０】（ａ）は上記医療用輸送容器に用いられる側部の内面を主とした斜視図、（ｂ）は外面を主とした斜視図。
【図１１】（ａ）は上記医療用輸送容器に用いられる蓋部の外面を主とした斜視図、（ｂ）は内面を主とした斜視図。
【考案を実施するための形態】
【００１３】
本考案の一実施形態に係る医療用輸送容器について、図面を参照して説明する。図１（ａ）（ｂ）及び図２（ａ）乃至（ｆ）に示すように、本実施形態の医療用輸送容器１は、物流の現場等においてフォークリフト等を用いた荷物の管理・運搬に好適に使用されるものであり、平面視矩形のパレット本体２と、パレット本体２の周縁に立設される壁体３（側部４、板部５）と、壁体の上端部に設けられる蓋体６と、を備える。壁体３は、略正方形状のパレット本体２の４辺から立設され、前面３１、左側面３２、右側面３３、背面３４の４面を有する（図１（ａ）参照）。パレット本体２は、一対のパレット部２０により構成され、蓋体６もまた一対の蓋部６０により構成される。
【００１４】
パレット本体２、壁体３及び蓋体６は、例えば、ポリスチレン、ポリエチレン、ポリプロピレン等のポリオレフィン系樹脂といった発泡合成樹脂製であり、本実施形態では、発泡ポリスチレン（ＥＰＳ（ｅｘｐａｎｄｅｄ  ｐｏｌｙｓｔｙｒｅｎｅ））により成型される。なお、パレット本体２、壁体３及び蓋体６は、夫々同じ樹脂材料により構成されていてもよいが、夫々密度や硬さが異なるものが用いられてもよい。
【００１５】
パレット本体２、壁体３及び蓋体６は、夫々別体として成型されており、それらを組み立てることで医療用輸送容器１が完成する。壁体３は、側面３２（３３）、前面３１の一部及び背面３４の一部を成す平面視コの字形状の側部４（左側部４ａ、右側部４ｂ）と、前面３１の一部又は背面３４の一部を成す平板形状の板部５（正面板部５ａ、背面板部５ｂ）と、を有する。左側部４ａ及び右側部４ｂは、パレット本体２に対して左右の配置及び向きが異なるだけで夫々同じ形状の部材であり、正面板部５ａ及び背面板部５ｂも前後の配置及び向きが異なるだけで夫々同じ形状の部材である。
【００１６】
壁体３（側部４、板部５）の内面、パレット本体２の内面（上面）及び蓋体６の内面（下面）は、夫々彫り込まれるように形成された複数の収容凹部７２、７４、７５、７６（図２（ｆ）参照）を有する。これらの収容凹部７２、７４、７５、７６（図１（ｂ）、図２（ｅ）（ｆ）参照）には、蓄温材７１（又は保冷材）が収容され、蓄温材７１は、枠体７３により収容凹部７２、７４、７５、７６に保持される。
【００１７】
図３（ａ）乃至（ｃ）及び図４（ａ）乃至（ｄ）に示すように、パレット本体２は、一対のパレット部２０を組み合わせることにより構成される。なお、パレット本体２の形状は、平面視で多角形状を含む各種の形状から適宜に選択され得るが、本実施形態で示すパレット本体２は、一対のパレット部２０を組み合わせた状態では、一方の辺Ｌ１（図３（ａ）の例では、正面視の辺）が、他方の辺（側面視の辺）Ｌ２よりも長い、平面視で長方形であるものである。一方、図３（ｂ）に示すように、分割された個別のパレット部２０の正面視の辺（Ｌ１／２）は、側面視の辺Ｌ２よりも短くなっている。
【００１８】
パレット部２０は、荷物が積載される積載面となる上面２１と、桁体２２が設けられる下面２３（図３（ｃ）参照）と、上面２１及び下面２３を繋ぐ側面と、を有する。側面は、一対のパレット部２０を組み合わせた状態で外側面として見られる外側面２４ａと、３つのパレット部２０の合わせ側面２４ｂ（図３（ｂ）参照）と、から成る。外側面２４ａの角部は丸みを帯びるように面取りされている。
【００１９】
桁体２２は、積載面となる上面２１の高さを嵩上げする支持部材であり、パレット本体２の長手辺Ｌ１と直交する方向に長尺な箱形状に設けられている。桁体２２は、１つのパレット部２０に対して２つ設けられ、所定間隔を空けて配置され、それら桁体２２の間が、フォークを差し込み部２Ａとなる。パレット本体２としては、４つの桁体と２つのフォーク差し込み部２Ａがあり、前後の２方からフォークを差し込むことができる。
【００２０】
桁体２２は、医療用輸送容器１が載置される際に底面となる載置面と、箱形状の４面を成す側面と、を有し、載置面には、肉抜き（軽量化）のための凹部が形成されている。桁体２２の側面のうち、２つのフォーク差し込み部２Ａとは反対側の面は、パレット部２０の外側面２４ａや合わせ側面２４ｂと連続した面を構成する。本実施形態の桁体２２は、パレット部２０と一体的に成型されているが、別体として成型されて任意の手段によりパレット本体２に固定されたものであってもよい。また、桁体２２は、例えば、フォークリフトを用いた複数回の運搬による発泡スチロールの劣化や屑ごみの発生を防止するため、載置面に硬化性樹脂、木材、金属等から成るカバー等（不図示）が取り付けられてもよい。
【００２１】
パレット部２０の上面２１には、蓄温材７１（又は保冷材）が収容される収容凹部７２と、板部５を連結された一対のパレット部２０に跨って支持するための架設溝部２５と、側部４を支持するための側部用溝部２６と、を有する。収容凹部７２は、本例では、縦２×横４の計８つ設けられている。収容凹部７２の形状は、後述する板部５の収容凹部７５と同じである。
【００２２】
架設溝部２５は、パレット部２０の正面側辺と背面側辺に沿って夫々一対形成される。側部用溝部２６は、パレット部２０の両側面側辺に沿って夫々一対形成される。架設溝部２５及び側部用溝部２６は、パレット部２０の周縁から所定の間隔を空けてやや内側に形成される。架設溝部２５には、棒状の補強部材８が、一対のパレット部２０を跨ぐように嵌挿される（図２（ｅ）（ｆ）も参照））。また、パレット部２０は、前後一対の架設溝部２５の中間に、架設溝部２５と平行に形成された中間溝部２７を有し。この中間溝部２７にも、補強部材８が嵌挿される。補強部材８は、樹脂、木材、金属等の、少なくともパレット部２０等を構成する発泡樹脂より耐荷性の高い材質で形成される。
【００２３】
図５（ａ）（ｂ）及び図６（ａ）乃至（ｈ）に示すように、パレット部２０は、対となるパレット部２０に向けて突出した連結用凸部２８と、対となるパレット部２０の連結用凸部２８が篏合される連結用凹部２９と、を有する。また、複数の連結用凸部２８及び複数の連結用凹部２９が（本実施形態では夫々２つ）、フォーク差し込み方向に沿って互い違いに配置されている。これら複数の連結用凸部２８及び連結用凹部２９がジグザグに噛み合うことで、２つのパレット部２０が水平方向にズレることなく強固に接合される。
【００２４】
連結用凸部２８及び連結用凹部２９は、いずれもパレット部２０の厚み方向のうち上面２１側に位置しており、連結用凸部２８は、その上面がパレット部２０の上面２１と面一となるように形成されている（図３（ａ）も参照）。
【００２５】
連結用凸部２８及び連結用凹部２９は、夫々の上面及び下面に形成された凸部２８ａ、２９ａ及び凹部２８ｂ、２９ｂが係合する。本実施形態では、上方に設けられた連結用凸部２８の下面には、先端側に凸部２８ａが、基端側に凹部２８ｂが形成されている。一方、下方に設けられた連結用凹部２９の上面にも、先端側に凸部２９ａが、基端側に凹部２９ｂが形成されている。このように形成された２つのパレット部２０を、合わせ側面２４ｂを対向させた状態で水平に移動させて、連結用凸部２８及び連結用凹部２９を互いに押し込み、各凸部２８ａ、２９ａの先端同士が当接させる。
【００２６】
このとき、各凸部２８ａ、２９ａの先端は切り欠かれている（図４（ｄ）参照）ので、凸部２８ａ、２９ａ同士はスムーズに頭頂部を乗り越えて、更に夫々が押し込まれることで、一方の凸部２８ａが他方の凹部２９ｂに、他方の凸部２９ａが一方の凹部２８ｂに収まることで、連結用凸部２８及び連結用凹部２９が篏合する。一方、凸部２８ａ、２９ａの基端側は切り欠かれていないので、一度、凸部２８ａ、２９ａが凹部２８ｂ、２９ｂに収まると、２つのパレット部２を引き離す方向に力がかかっても、連結用凸部２８及び連結用凹部２９の篏合は容易には外れなくなる。
【００２７】
また、架設溝部２５は、板部５の下端部が嵌挿される板部用溝部２５ａと、板部用溝部２５ａと段違いに更に彫り込まれるように形成された補強部材用溝部２５ｂと、を有する（図５（ａ）、図６（ｆ）参照）。補強部材８は、補強部材用溝部２５ｂに嵌挿される。本実施形態のパレット部２０は、上記の連結用凸部２８及び連結用凹部２９だけでなく、板部用溝部２５ａに嵌挿された板部５が、対となるパレット部２０を連結させる機能を果たす。更に、補強部材用溝部２５ｂや、上述した中間溝部２７に嵌挿された補強部材８もまた、対となるパレット部２０を連結させる機能を果たす。従って、別体として成型された２つのパレット部２０が強固に接合され、一つのパレット本体２として機能する。
【００２８】
また、本実施形態では、長尺状に形成された桁体２２が、パレット部２０の両端部に夫々設けられ、連結された一対のパレット部２０における隣り合う桁体２２の側面（合わせ側面２４ｂ）同士が当接する。パレット部２０の合わせ側面２４ｂは、パレット部２０の板状部と桁体２２の両方の厚みにより、最も厚み（高さ）がある。対となるパレット部２０が互いに広い面で接することで、パレット本体２の中心部の厚みが増強され、パレット本体２の中心部が下方に押されても、パレット本体２の変形を抑制することができる。
【００２９】
また、連結用凸部２８及び連結用凹部２９が、パレット部２０の厚み方向のうち上面側に位置しており、この箇所が最も強固に連結しているので、パレット本体２の中心部に下方の力がかかっても、対となるパレット部２０が分離される難くなる。また、連結用凸部２８は、その上面がパレット部２０の上面２１と面一となるように形成されているので、その上に積載される収納部を水平に維持することができる。
【００３０】
図７（ａ）（ｂ）及び図８（ａ）乃至（ｅ）に示すように、板部５は、側部４と同じ高さの板状部材である。板部５の下端面には、パレット本体２（パレット部２０）の板部用溝部２５ａに嵌挿される下凸部５１が形成されている。下凸部５１は、板部５の厚み方向の中央に設けられている（図８（ｃ）参照）。また、板部５の上端面には、蓋体６に対応する上凸部５２が、下凸部と同様に形状で形成されている。更に、板部５の左右の側端面には、その上端から下端まで側凸部５３、５４が形成されている。なお、板部５は、上下対称、左右対称であり、下凸部５１及び上凸部５２は同形状であり、側凸部５３、５４も同形状である。
【００３１】
また、板部５の正面を成す面、すなわち医療用輸送容器１として組み立てたときに、容器の内側面となる面には、蓄温材７１（又は保冷材）が収容される複数の収容凹部７５が、本例では、縦２×横４の計８つ設けられている。収容凹部７５は、蓄温材７１が収容されるサイズに形成される第１凹部７５ａと、第１凹部７５ｂの周縁に形成され第１凹部７５ａに収容された蓄温材７１を保持する枠体７３が嵌め込まれる第２凹部７５ｂと、を有する（図７（ａ）、図８（ｅ）参照）。第１凹部７５ａは、蓄温材７１を収容できる大きさと深さに形成されており、第２凹部７５ｂは、第１凹部７５ａよりも大きく、浅く形成されている。すなわち、収容凹部７５は、第２凹部７５ｂと第１凹部７５ａとが段違いに形成された凹部となっている。また、第２凹部７５ｂは、４辺の内側面に、篏合凹部７５ｃが形成されている（特に、図８（ｅ）参照）。篏合凹部７５ｃは、円弧状の凹面となるよう形成される。
【００３２】
枠体７３は、中央に開口７３ａを有する額縁状の部材であり、４辺の外側面に篏合凸部７３ｂを有する。開口７３ａは、蓄温材７１が収容される第１凹部７５ａよりも僅かに小さく、蓄温材７１の周縁を保持することができ、且つ蓄温材７１の中央部分を十分に容器内面に開放できるサイズとされる。篏合凸部７３ｂは、板部５の篏合凹部７５ｃに対応するように、円弧状の凸面となるよう形成される（特に、図９（ｄ）参照）。
【００３３】
枠体７３は、第２凹部７５ｂに嵌め込まれたとき、枠体７３の表面が、壁体３（板部５）の内面と面一となるように、その厚さが、第２凹部７５ｂの深さと同じになるように形成されている。そのため、枠体７３や蓄温材７１が収容空間に突出することなく、収容物に対して物理的な影響を及ぼすこともない。
【００３４】
蓄温材７１は、本実施形態では、ゲル状の蓄温材料が柔軟性のある袋パックに封入されたパック状の蓄温材が好適に用いられる。このような柔軟性のあるパック状の蓄温材であっても、額縁状の枠体７３が第２凹部７５ｂに嵌められるにより、第１凹部７５ａに収容された蓄温材７１の４辺が保持されるので、蓄温材７１を板部５（壁体３）に安定的に保持することができる。なお、蓄温材７１は、第１凹部７５ａに収納できれば、所定の硬さがあるブロック状のものであってもよい。
【００３５】
図１０（ａ）（ｂ）に示すように、側部４は、壁体３の側面３２（３３）を構成する長板４１と、長板４１の正面側及びの背面側の両縁部に夫々設けられ、前面３１の一部及び背面３４の一部を構成する１対の短板４２、４３と、を有し、これら長板４１及び短板４２、４３は一体成型されている。側部４を成す長板４１の下端面には、パレット部２０の側部用溝部２６に嵌挿される下凸部４１ａが設けられている。側部４を成す短板４２、４３の各々の側端面には、板部５の側凸部５３、５４が嵌挿される側凹部４２ａ、４３ａが設けられている（特に、図１０（ａ）参照）。また、長板４１の上端面には、蓋体６に対応する上凸部４１ｂが形成されている（図１０（ａ）参照）。なお、側部４も、上下対称、左右対称であり、上凸部４１ａ及び下凸部４１ｂは同形状であり、側凸部４２ａ、４３ａも同形状である。また、側部４の長板４１部分の内面には、蓄温材７１を収容するための収容凹部７４が、本例では、縦２×横４の計８つ設けられている。この収容凹部７４の形状は、上述した板部５の収容凹部７５と同じである。
【００３６】
図１１（ａ）（ｂ）に示すように、蓋体６は、パレット本体２と同様に一対の蓋部６０を組み合わせから成る。蓋体６は、上面６１及び下面６２を有し、その外形寸法がパレット本体２と略等しくなるように形成される。桁体が無い以外は、パレット本体２とは上下を反転した形状であり、蓋体６の下面６２には、蓄温材７１（又は保冷材）が収容される収容凹部７６と、板部５を連結された一対の蓋部６０に跨って支持するための架設溝部６５と、側部４を支持するための側部用溝部６６と、を有する。収容凹部７６は、本例では、縦２×横４の計８つ設けられている。収容凹部７６の形状は、上述した板部５の収容凹部７５と同じである。また、蓋部６０は、パレット部２０と同様に、補強部材８が嵌挿される中間溝部６７を有する。対となる蓋部６０を接合するための連結用凸部６８及び連結用凹部６９を有する点も、パレット部２０と同様である。なお、蓋体６には、パレット本体２ほどの強度は要求されないので、補強部材は必要なく、架設溝部６５に補強部材用溝部はなく、中間溝部もない。
【００３７】
上記のように構成された医療用輸送容器１では、パレット本体２が、フォーク差し込み方向に直交する方向で連結される個別の一対のパレット部２０により構成されるので、非使用時には、厚みの大きなパレット本体２を分解でき、コンパクトに収納することができ、持ち運びが容易となる。また、板部５が、連結された一対のパレット部２０に跨って架設溝部２５によって支持されるので、組み立てたパレット本体２０に十分な強度を得ることができる。
【００３８】
なお、本考案は、上記実施の形態の構成に限られず、考案の趣旨を変更しない範囲で種々の変形が可能である。また、上記実施の形態においては医療用輸送容器１の構造をフォークリフトによる荷物の運搬に適用する例を説明したが、他の発泡合成樹脂製の構造物にも適用できることは言うまでもない。ただし、組立体の一辺が１ｍを超える大きな輸送用部材であるパレット連結式の医療用輸送容器１に適用することが、組み立ての便益上、特に有用である。
【符号の説明】
【００３９】
１    医療用輸送容器
２    パレット本体
２０    パレット部
２２  桁体
２５    架設溝部
２５ａ    板部用溝部
２５ｂ    補強部材用板部
２８    連結用凸部
２８ａ    凸部
２８ｂ    凹部
２９    連結用凹部
２９ａ    凸部
２９ｂ    凹部
３    壁体
３１    前面
３２    側面
３３    側面
３４    背面
４    側部
５    板部
６    蓋体
７１    蓄温材
７２    収納凹部
７３    枠体
７４    収納凹部
７５    収納凹部
７５ａ    第１凹部
７５ｂ    第２凹部
７６    収納凹部
８    補強部材
【図１】
0003227947.tif 000003
【図２】
0003227947.tif 000004
【図３】
0003227947.tif 000005
【図４】
0003227947.tif 000006
【図５】
0003227947.tif 000007
【図６】
0003227947.tif 000008
【図７】
0003227947.tif 000009
【図８】
0003227947.tif 000010
【図９】
0003227947.tif 000011
【図１０】
0003227947.tif 000012
【図１１】
0003227947.tif 000013
【手続補正書】
【提出日】令和2年6月26日(2020.6.26)
【手続補正１】
【補正対象書類名】実用新案登録請求の範囲
【補正対象項目名】請求項４
【補正方法】変更
【補正の内容】
【請求項４】
前記壁体は、側面、前面の一部及び背面の一部を成す平面視コの字形状の側部と、前面の一部又は背面の一部を成す平板形状の板部と、を有し、
前記側部は、前記壁体の側面を成す長板と、前記長板の両縁に夫々一体的に設けられて前記壁体の前面の一部及び背面の一部を成す一対の短板と、を有し、
前記壁体の前面又は背面は、正面視又は背面視において、前記短板より前記板部の占める面積が大きいことを特徴とする請求項１乃至請求項３のいずれか一項に記載の医療用輸送容器。